(57)【特許請求の範囲】
【請求項１】
第１の無線通信システムに接続した端末装置が第２の無線通信システムにも接続したときの通信帯域を推定する推定部と、
前記推定部において推定した通信帯域をもとに、前記端末装置が第１の無線通信システムと第２の無線通信システムとに同時に接続したときのそれぞれの無線通信システムでの通信帯域の使用割合を決定する割合決定部と、
前記割合決定部において決定したそれぞれの通信帯域の使用割合を前記端末装置へ通知する通知部と、
を備えることを特徴とする制御装置。
【請求項２】
第１の通信システムに対応した基地局装置からの要求であって、かつ前記端末装置が第１の無線通信システムと第２の無線通信システムとに同時に接続したときの通信帯域の分配の割合を通知する旨の要求を受けつける受付部をさらに備え、
前記割合決定部は、前記受付部において受けつけた要求への応答として、分配の割合を決定することを特徴とする請求項１に記載の制御装置。
【請求項３】
第１の通信システムに対応した基地局装置を介した前記端末装置からの要求であって、かつ前記端末装置が第１の無線通信システムと第２の無線通信システムとに同時に接続したときの通信帯域の分配の割合を通知する旨の要求を受けつける受付部をさらに備え、
前記割合決定部は、前記受付部において受けつけた要求への応答として、分配の割合を決定することを特徴とする請求項１に記載の制御装置。
【請求項４】
前記通知部は、第１の無線通信システムに対応した基地局装置を介して前記端末装置へ分配の割合を通知することを特徴とする請求項１から３のいずれかに記載の制御装置。
【請求項５】
前記通知部は、前記端末装置が第２の無線通信システムに接続した後、第２の無線通信システムに対応した基地局装置を介して前記端末装置へ分配の割合を通知することを特徴とする請求項１に記載の制御装置。
【請求項６】
第１の無線通信システムに対応した基地局装置から、第１の無線通信システムと第２の無線通信システムとに同時に接続したときのそれぞれの無線通信システムでの通信帯域の使用割合を受けつける受付部と、
前記受付部において受けつけたそれぞれの通信帯域の使用割合をもとに、第２の無線通信システムに対応した基地局装置へ要求すべき通信帯域を決定する決定部と、
前記決定部において決定した通信帯域を要求しながら、第２の無線通信システムに対応した基地局装置へ接続も要求するとともに、第１の無線通信システムに対応した基地局装置との通信を継続する通信部と、
を備えることを特徴とする端末装置。
【請求項７】
第１の無線通信システムに対応した基地局装置に対して、第１の無線通信システムと第２の無線通信システムとに同時に接続したときのそれぞれの無線通信システムでの通信帯域の使用割合の通知を要求する要求部をさらに備え、
前記受付部は、前記要求部における要求の応答として、それぞれの無線通信システムでの通信帯域の使用割合を受けつけることを特徴とする請求項６に記載の端末装置。
【請求項８】
第１の無線通信システムと第２の無線通信システムとのうちのいずれか一方を使用する第１の処理と、第１の無線通信システムと第２の無線通信システムとの双方を使用する第２の処理とのいずれか一方を選択する選択部をさらに備えることを特徴とする請求項６に記載の端末装置。
【請求項９】
第１の無線通信システムに対応した基地局装置との通信を継続するともに、第２の無線通信システムに対応した基地局装置へ接続も要求する通信部と、
前記通信部において接続を要求した基地局装置から、第１の無線通信システムと第２の無線通信システムとに同時に接続したときのそれぞれの無線通信システムでの通信帯域の使用割合を受けつける受付部と、
前記受付部において受けつけたそれぞれの通信帯域の使用割合をもとに、第２の無線通信システムに対応した基地局装置との通信にて使用すべき通信帯域を決定する決定部とを備え、
前記通信部は、前記決定部において決定した通信帯域を使用しながら、第２の無線通信システムに対応した基地局装置との通信を実行することを特徴とする端末装置。
【請求項１０】
第１の無線通信システムによって端末装置と通信する通信部と、
前記通信部において通信する端末装置が、第１の無線通信システムと第２の無線通信システムとに同時に接続したときのそれぞれの無線通信システムでの通信帯域の使用割合の通知を制御装置へ要求する要求部と、
前記要求部における要求の応答として、前記制御装置からそれぞれの無線通信システムでの通信帯域の使用割合を受けつける受付部とを備え、
前記通信部は、前記受付部において受けつけたそれぞれの無線通信システムでの通信帯域の使用割合を前記端末装置へ通知することを特徴とする基地局装置。
【請求項１１】
第１の無線通信システムに接続した端末装置が第２の無線通信システムにも接続したときの通信帯域を推定するステップと、
推定した通信帯域をもとに、前記端末装置が第１の無線通信システムと第２の無線通信システムとに同時に接続したときのそれぞれの無線通信システムでの通信帯域の使用割合を決定するステップと、
決定したそれぞれの無線通信システムでの通信帯域の使用割合を前記端末装置へ通知するステップと、
を備えることを特徴とする通信方法。
【請求項１２】
第１の無線通信システムに対応した基地局装置から、第１の無線通信システムと第２の無線通信システムとに同時に接続したときのそれぞれの無線通信システムでの通信帯域の使用割合を受けつけるステップと、
受けつけたそれぞれの通信帯域の使用割合をもとに、第２の無線通信システムに対応した基地局装置へ要求すべき通信帯域を決定するステップと、
決定した通信帯域を要求しながら、第２の無線通信システムに対応した基地局装置へ接続も要求するとともに、第１の無線通信システムに対応した基地局装置との通信を継続するステップと、
を備えることを特徴とする通信方法。
【請求項１３】
第１の無線通信システムに対応した基地局装置との通信を継続するともに、第２の無線通信システムに対応した基地局装置へ接続も要求するステップと、
接続を要求した基地局装置から、第１の無線通信システムと第２の無線通信システムとに同時に接続したときのそれぞれの無線通信システムでの通信帯域の使用割合を受けつけるステップと、
それぞれの通信帯域の使用割合をもとに、第２の無線通信システムに対応した基地局装置との通信にて使用すべき通信帯域を決定するステップと、
決定した通信帯域を使用しながら、第２の無線通信システムに対応した基地局装置との通信を実行するステップと、
を備えることを特徴とする通信方法。
【請求項１４】
第１の無線通信システムによって端末装置と通信するステップと、
通信する端末装置が、第１の無線通信システムと第２の無線通信システムとに同時に接続したときのそれぞれの無線通信システムでの通信帯域の使用割合の通知を制御装置へ要求するステップと、
要求の応答として、前記制御装置からそれぞれの通信帯域の使用割合を受けつけるステップと、
受けつけたそれぞれの通信帯域の使用割合を前記端末装置へ通知するステップと、
を備えることを特徴とする通信方法。
【発明の詳細な説明】
【技術分野】
【０００１】
本発明は、通信技術に関し、特に複数の無線通信方式に対応している場合の通信方法およびそれらを利用した制御装置、端末装置、基地局装置に関する。
【背景技術】
【０００２】
無線通信システムでは、一般的に、端末装置と基地局装置とが接続されることによって、通信が実行される。また、複数の無線通信システムに対して、それぞれに対応した端末装置と基地局装置とが設けられる。複数の無線通信システムのそれぞれについて、サービスエリアの広さ、データレート、処理遅延時間等の特性が異なっており、複数の無線通信システムを比較すると、それぞれが特性について長所や短所を有する。互いの短所を補うために、複数の無線通信システムに対応した端末装置の実現が有効である（例えば、特許文献１参照）。
【特許文献１】特開２００３−１４３６５１号公報
【発明の開示】
【発明が解決しようとする課題】
【０００３】
背景技術では、ふたつの無線通信システムに対応した無線装置が開示されているが、当該無線装置では、第１の無線通信システムを使用しながら、第２の無線通信システムに対する無線通信パラメータが伝送される。その後、無線通信パラメータを使用しながら、第２の無線通信システムによる通信が実行される。また、これとは別に、ふたつの無線通信システム間をハンドオーバするようなシステム間ハンドオーバも提案されている。複数の無線通信システムのサービスエリアが重複している場合もあり、複数の無線通信システムをより効率的に使用することが望まれる。
【０００４】
本発明はこうした状況に鑑みてなされたものであり、その目的は、複数の無線通信システムを効率的に使用する通信技術を提供することにある。
【課題を解決するための手段】
【０００５】
上記課題を解決するために、本発明のある態様の制御装置は、第１の無線通信システムに接続した端末装置が第２の無線通信システムにも接続したときの通信帯域を推定する推定部と、推定部において推定した通信帯域をもとに、端末装置が第１の無線通信システムと第２の無線通信システムとに同時に接続したときの通信帯域の分配の割合を決定する決定部と、決定部において決定した分配の割合を端末装置へ通知する通知部と、を備える。
【０００６】
本発明の別の態様は、端末装置である。この装置は、第１の無線通信システムに対応した基地局装置から、第１の無線通信システムと第２の無線通信システムとに同時に接続したときの通信帯域の分配の割合を受けつける受付部と、受付部において受けつけた分配の割合をもとに、第２の無線通信システムに対応した基地局装置へ要求すべき通信帯域を決定する決定部と、決定部において決定した通信帯域を要求しながら、第２の無線通信システムに対応した基地局装置へ接続も要求するとともに、第１の無線通信システムに対応した基地局装置との通信を継続する通信部と、を備える。
【０００７】
本発明のさらに別の態様もまた、端末装置である。この装置は、第１の無線通信システムに対応した基地局装置との通信を継続するともに、第２の無線通信システムに対応した基地局装置へ接続も要求する通信部と、通信部において接続を要求した基地局装置から、第１の無線通信システムと第２の無線通信システムとに同時に接続したときの通信帯域の分配の割合を受けつける受付部と、受付部において受けつけた分配の割合をもとに、第２の無線通信システムに対応した基地局装置との通信にて使用すべき通信帯域を決定する決定部とを備える。通信部は、決定部において決定した通信帯域を使用しながら、第２の無線通信システムに対応した基地局装置との通信を実行する。
【０００８】
本発明のさらに別の態様は、基地局装置である。この装置は、第１の無線通信システムによって端末装置と通信する通信部と、通信部において通信する端末装置が、第１の無線通信システムと第２の無線通信システムとに同時に接続したときの通信帯域の分配の割合の通知を制御装置へ要求する要求部と、要求部における要求の応答として、制御装置から分配の割合を受けつける受付部とを備える。通信部は、受付部において受けつけた分配の割合を端末装置へ通知する。
【０００９】
本発明のさらに別の態様は、通信方法である。この方法は、第１の無線通信システムに接続した端末装置が第２の無線通信システムにも接続したときの通信帯域を推定するステップと、推定した通信帯域をもとに、端末装置が第１の無線通信システムと第２の無線通信システムとに同時に接続したときの通信帯域の分配の割合を決定するステップと、決定した分配の割合を端末装置へ通知するステップと、を備える。
【００１０】
本発明のさらに別の態様もまた、通信方法である。この方法は、第１の無線通信システムに対応した基地局装置から、第１の無線通信システムと第２の無線通信システムとに同時に接続したときの通信帯域の分配の割合を受けつけるステップと、受けつけた分配の割合をもとに、第２の無線通信システムに対応した基地局装置へ要求すべき通信帯域を決定するステップと、決定した通信帯域を要求しながら、第２の無線通信システムに対応した基地局装置へ接続も要求するとともに、第１の無線通信システムに対応した基地局装置との通信を継続するステップと、を備える。
【００１１】
本発明のさらに別の態様もまた、通信方法である。この方法は、第１の無線通信システムに対応した基地局装置との通信を継続するともに、第２の無線通信システムに対応した基地局装置へ接続も要求するステップと、接続を要求した基地局装置から、第１の無線通信システムと第２の無線通信システムとに同時に接続したときの通信帯域の分配の割合を受けつけるステップと、受けつけた分配の割合をもとに、第２の無線通信システムに対応した基地局装置との通信にて使用すべき通信帯域を決定するステップと、決定した通信帯域を使用しながら、第２の無線通信システムに対応した基地局装置との通信を実行するステップと、を備える。
【００１２】
本発明のさらに別の態様もまた、通信方法である。この方法は、第１の無線通信システムによって端末装置と通信するステップと、通信する端末装置が、第１の無線通信システムと第２の無線通信システムとに同時に接続したときの通信帯域の分配の割合の通知を制御装置へ要求するステップと、要求の応答として、制御装置から分配の割合を受けつけるステップと、受けつけた分配の割合を端末装置へ通知するステップと、を備える。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
複数の無線通信システムを効率的に使用できる。
【発明を実施するための最良の形態】
【００１５】
本発明を具体的に説明する前に、概要を述べる。本発明の実施例は、ふたつの無線通信システムを使用する通信システムに関する。ここで、ふたつの無線通信システムとして、移動通信システムと固定通信システムとが使用される。移動通信システムは、ＴＤＭＡ（Ｔｉｍｅ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）を使用するが、ここでは、例えば、後者を説明の対象とする。以下では、ＣＤＭＡに対応した移動通信システムを単に「ＣＤＭＡ」という。また、固定通信システムとして、例えば、ＩＥＥＥ８０２．１６規格、ＩＥＥＥ８０２．１６ｅ規格に準拠した通信システムがあり、これらは、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）（商標）とも呼ばれている。以下では、これらに対応した固定通信システムを単に「ＷｉＭＡＸ」という。
【００１６】
なお、固定通信システムとは、説明を明確にするために、移動通信システムと対比して使用される用語であり、固定通信システムであっても、移動環境において通信がなされる場合が含まれてもよい。また、通信システムは、ＣＤＭＡに対応した基地局装置、ＷｉＭＡＸに対応した基地局装置、両者と有線回線にて接続するＩＭＳ（ＩＰ  Ｍｕｌｔｉｍｅｄｉａ  Ｓｕｂｓｙｓｔｅｍ）、両者と無線回線にて接続する端末装置によって構成される。このような環境下において、端末装置は、ＣＤＭＡとＷｉＭＡＸのうちのいずれかを使用する（以下、「選択処理」という）。また、通信帯域を拡大するために、端末装置は、ＣＤＭＡおよびＷｉＭＡＸを使用する（以下、「分割処理」という）。その際、ＣＤＭＡとＷｉＭＡＸデータとのそれぞれに対応づけられるように、データ信号が分割されるものとする。
【００１７】
例えば、下り回線においては、ＩＭＳがデータを分割し、ＣＤＭＡに対応した基地局装置、ＷｉＭＡＸに対応した基地局装置がそれぞれに対応づけられたデータを送信する。また、端末装置は、ＣＤＭＡでのデータとＷｉＭＡＸでのデータとを受信し、受信したデータを合成する。上り回線においては、端末装置とＩＭＳとの役割が、下り回線の場合と逆になるが、下り回線と同様の処理がなされる。ふたつの無線通信システムを効率的に使用するために、選択処理から分割処理へのスムーズな移行が要求される。これに対応するために、本実施例に係る通信システムは、次の処理を実行する。なお、説明を明瞭にするために、以下では、ＷｉＭＡＸに対応した基地局装置と端末装置とが接続している選択処理の状態から、ＣＤＭＡおよびＷｉＭＡＸに対応した基地局装置と端末装置とが接続している分割処理の状態へ移行する場合を想定する。
【００１８】
端末装置は、ＷｉＭＡＸに対応した基地局装置を介して制御装置へ、ＣＤＭＡに対応した基地局装置にも接続したときの通信帯域の分配の割合を問い合わせる。通信帯域の分配の割合とは、例えば、ＷｉＭＡＸとＣＤＭＡのそれぞれに対して、どれくらいの通信帯域を使用するかを相対的に示した値である。なお、これは相対的な値に限定されず、絶対的な値であってもよい。制御装置は、ＣＤＭＡのネットワークにおけるスループットをもとに、ＣＤＭＡを使用した場合の通信帯域を推定することによって、分配の割合を決定する。制御装置は、ＷｉＭＡＸに対応した基地局装置を介して端末装置へ、分配の割合を通知する。端末装置は、受けつけた分配の割合をもとに、ＣＤＭＡに対応した基地局装置へ要求すべき通信帯域の値を決定し、当該基地局装置へ接続を要求する。その際、決定した通信帯域の値も付随して送信される。
【００１９】
図１は、本発明の実施例に係る通信システム１００の構成を示す。通信システム１００は、ＩＰネットワーク１０、ＩＭＳ１２、ＧＷ（ＧａｔｅＷａｙ）１４、基地局装置１６と総称される第１基地局装置１６ａ、第２基地局装置１６ｂ、端末装置２０を含む。また、第１基地局装置１６ａは、第１基地局用アンテナ１８ａを含み、第２基地局装置１６ｂは、第２基地局用アンテナ１８ｂを含む。ここで、第１基地局用アンテナ１８ａと第２基地局用アンテナ１８ｂとは、基地局用アンテナ１８と総称される。また、端末装置２０は、端末用アンテナ２２を含む。
【００２０】
第１基地局装置１６ａは、前述のＣＤＭＡに対応した基地局装置に相当し、第２基地局装置１６ｂは、前述のＷｉＭＡＸに対応した基地局装置に相当する。これらは、無線側の他にも有線側のインターフェイスを有し、有線側のインターフェイスにおいて、ＩＰネットワーク１０に接続されている。ここで、第１基地局装置１６ａは、ＧＷ１４を介してＩＰネットワーク１０に接続される。また、ＩＰネットワーク１０には、図示されないルータ等が含まれている。なお、ＣＤＭＡに対応した基地局装置とは、ＣＤＭＡによって多重化した端末装置２０との間において通信を実行する移動通信システムの基地局装置である。
【００２１】
また、ＷｉＭＡＸに対応した基地局装置とは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）によって多重化した端末装置２０との間において通信を実行する固定通信システムの基地局装置である。ここで、ＣＤＭＡおよびＷｉＭＡＸの詳細については、説明を省略する。基地局装置１６は、下り回線において、後述のＩＭＳ１２から受けつけたデータを端末装置２０に送信し、上り回線において、端末装置２０から受けつけたデータをＩＭＳ１２に送信する。その際、基地局用アンテナ１８が使用される。
【００２２】
ＩＭＳ１２は、端末装置２０との通信に使用すべき基地局装置１６を制御する。また、ＩＭＳ１２は、ＩＰネットワーク１０と基地局装置１６との間において、データを中継する。まず、ここでは、分割処理におけるＩＭＳ１２の動作を説明する。下り回線において、ＩＭＳ１２は、ＩＰネットワーク１０から、端末装置２０に送信すべきデータを受けつける。ＩＭＳ１２は、受けつけたデータを複数の無線通信方式のそれぞれに対応づけながら分割する。例えば、データがＩＰパケットによって構成されており、ＩＰパケットには、前から順に「１」、「２」のごとく番号が付与されている場合、ＩＭＳ１２は、奇数のＩＰパケットと偶数のＩＰパケットに、受けつけたＩＰパケットを分割する。
【００２３】
また、ＩＭＳ１２は、奇数のＩＰパケットを第１基地局装置１６ａへ出力し、偶数のＩＰパケットを第２基地局装置１６ｂへ出力する。その際、ＩＭＳ１２は、分割したＩＰパケットに対応づけられる無線通信方式にかかわらず、複数の無線通信方式に対して共通のシーケンス番号をＩＰパケットに付与する。例えば、前述のごとく、分割前のＩＰパケットに対して、前から順に「１」、「２」のような番号が付与される。
【００２４】
また、上り回線において、ＩＭＳ１２は、第１基地局装置１６ａと第２基地局装置１６ｂのそれぞれからＩＰパケットを受けつける。当該ＩＰパケットは、端末装置２０から基地局装置１６へ送信された信号に対して、基地局装置１６によってＩＰパケットへの変換がなされた信号である。なお、このようなＩＰパケットに対しても、下り回線と同様に共通のシーケンス番号が付与されている。ＩＭＳ１２は、ＩＰパケットに付与されたシーケンス番号をもとに、ＩＰパケットを合成することによって、ひとつの系列によって形成されるデータを生成する。最終的に、ＩＭＳ１２は、生成したデータをＩＰパケットとしてＩＰネットワーク１０へ出力する。
【００２５】
次に、選択処理におけるＩＭＳ１２の動作を説明する。下り回線において、ＩＭＳ１２は、分割処理と同様にＩＰパケットを受けつける。ＩＭＳ１２は、第１基地局装置１６ａあるいは第２基地局装置１６ｂへ、受けつけたＩＰパケットを出力する。また、上り回線において、ＩＭＳ１２は、第１基地局装置１６ａあるいは第２基地局装置１６ｂからＩＰパケットを受けつける。ＩＭＳ１２は、受けつけたＩＰパケットをＩＰネットワーク１０へ出力する。
【００２６】
端末装置２０は、音声通信やデータ通信のための機能、およびＣＤＭＡに対応した通信機能とＷｉＭＡＸに対応した通信機能とを有する。そのため、端末装置２０は、第１基地局装置１６ａに接続することによって、ＣＤＭＡによる通信を実行し、第２基地局装置１６ｂに接続することによって、ＷｉＭＡＸによる通信を実行する。その際、端末用アンテナ２２が使用される。また、端末装置２０は、ＩＭＳ１２での動作に対応して、分割処理および選択処理を実行する。端末装置２０における分割処理および選択処理は、上り回線と下り回線とが逆になる以外、ＩＭＳ１２での処理と同様であるので、ここでは、説明を省略する。前述のごとく、ここでは、第２基地局装置１６ｂと端末装置２０とが接続している選択処理の状態から、第１基地局装置１６ａおよび第２基地局装置１６ｂと、端末装置２０とが接続している分割処理の状態へ移行する場合を想定する。
【００２７】
図２は、通信システム１００における分割処理の手順を示すシーケンス図である。ここでは、一例として下り回線における分割処理の手順を説明する。ＩＭＳ１２は、ＩＰネットワーク１０からＩＰパケット「１」、「２」、「３」、「４」を入力する（Ｓ１０）。ＩＭＳ１２は、ＩＰパケット「１」、「３」を第１基地局装置１６ａに出力し（Ｓ１２）、ＩＰパケット「２」、「４」を第２基地局装置１６ｂに出力する（Ｓ１４）。第１基地局装置１６ａは、ＩＰパケット「１」、「３」を端末装置２０に送信し（Ｓ１６）、第２基地局装置１６ｂは、ＩＰパケット「２」、「４」を端末装置２０に送信する（Ｓ１８）。なお、ステップ１６とステップ１８において、ＩＰパケットは、無線通信システムに対応するように変形されているものとする。端末装置２０は、受信したデータを合成する（Ｓ２０）。
【００２８】
図３は、通信システム１００における選択処理の手順を示すシーケンス図である。ここでは、一例として下り回線における選択処理の手順を説明する。また、選択処理においては、ＣＤＭＡが選択されているものとする。ＩＭＳ１２は、ＩＰネットワーク１０からＩＰパケット「１」、「２」、「３」、「４」を入力する（Ｓ４０）。ＩＭＳ１２は、ＩＰパケット「１」、「２」、「３」、「４」を第１基地局装置１６ａに出力する（Ｓ４２）。第１基地局装置１６ａは、ＩＰパケット「１」、「２」、「３」、「４」を端末装置２０に送信する（Ｓ４４）。端末装置２０は、受信したデータを処理する（Ｓ４６）。
【００２９】
図４は、端末装置２０の構成を示す。端末装置２０は、端末用アンテナ２２、通信部３０と総称される第１通信部３０ａ、第２通信部３０ｂ、処理部３２、ＩＦ部３４、決定部３８、制御部４０を含む。
【００３０】
通信部３０は、図１の基地局装置１６との間において無線通信を実行する。具体的には、第１通信部３０ａは、図１の第１基地局装置１６ａとの通信を実行するために、ＣＤＭＡに対応する。また、第２通信部３０ｂは、図１の第２基地局装置１６ｂとの通信を実行するために、ＷｉＭＡＸに対応する。
【００３１】
まず、通信部３０における受信処理を説明する。通信部３０は、端末用アンテナ２２において受信した無線周波数の信号に対して周波数変換を実行し、ベースバンドの信号を生成する。なお、ＣＤＭＡとＷｉＭＡＸのそれぞれにおいて使用される無線周波数は、一般的に異なっているが、ここでは、それらを総称して単に無線周波数とする。また、通信部３０には、ＡＧＣ（Ａｕｔｏｍａｔｉｃ  Ｇａｉｎ  Ｃｏｎｔｒｏｌ）やＡ／Ｄ変換部も含まれる。つづいて、通信部３０は、ベースバンドの信号を復調する。ここで、第１通信部３０ａは、逆拡散処理を実行し、第２通信部３０ｂは、ＦＦＴ（Ｆａｓｔ  Ｆｏｕｒｉｅｒ  Ｔｒａｎｓｆｏｒｍ）を実行する。さらに、通信部３０は、復号も実行する。最終的に、通信部３０は、復号した信号を処理部３２へ出力する。
【００３２】
次に、通信部３０における送信処理を説明する。通信部３０は、処理部３２から入力した信号を変調する。また、第１通信部３０ａは、拡散処理を実行し、第２通信部３０ｂは、ＩＦＦＴを実行する。さらに、通信部３０は、変調処理の前に、符号化も実行する。通信部３０は、ベースバンドの信号に対して周波数変換を実行し、無線周波数の信号を生成する。さらに、通信部３０は、無線周波数の信号を端末用アンテナ２２に出力する。また、通信部３０には、ＰＡ（Ｐｏｗｅｒ  Ａｍｐｌｉｆｉｅｒ）、Ｄ／Ａ変換部も含まれる。
【００３３】
端末装置２０が、選択処理を実行している場合、第１通信部３０ａと第２通信部３０ｂのうちの一方が動作する。また、端末装置２０が、分割処理を実行している場合、送信処理において、第１通信部３０ａと第２通信部３０ｂとは、後述の処理部３２にて分割したデータのそれぞれを図示しない基地局装置１６へ送信する。また、第１通信部３０ａと第２通信部３０ｂとは、受信処理にて受信したデータを処理部３２に出力する。なお、前述した前提のとおり、初期状態では、選択処理として第２通信部３０ｂだけが動作している。
【００３４】
処理部３２は、分割処理あるいは選択処理に応じて、通信部３０に入出力すべきデータを切りかえる。分割処理での送信処理の場合、処理部３２は、ＩＦ部３４から入力したデータを第１通信部３０ａと第２通信部３０ｂのそれぞれに対応づけながら分割する。ここで、処理部３２は、分割したデータに対応づけられる無線通信方式にかかわらず、複数の無線通信方式に対して共通のシーケンス番号をデータに付与する。また、処理部３２は、分割したデータを第１通信部３０ａと第２通信部３０ｂのそれぞれに出力する。例えば、処理部３２は、奇数番目のデータを第１通信部３０ａに出力し、偶数番目のデータを第２通信部３０ｂに出力する。
【００３５】
分割処理での受信処理の場合、処理部３２は、第１通信部３０ａと第２通信部３０ｂから入力したデータをシーケンス番号にしたがいながら合成する。また、処理部３２は、合成したデータをＩＦ部３４に出力する。選択処理での送信処理の場合、処理部３２は、ＩＦ部３４から入力したデータを第１通信部３０ａあるいは第２通信部３０ｂに出力する。また、選択処理での受信処理の場合、処理部３２は、第１通信部３０ａあるいは第２通信部３０ｂから入力したデータをＩＦ部３４に出力する。
【００３６】
ＩＦ部３４は、ＩＭＳ１２に送信すべきデータを入力し、ＩＭＳ１２から受信したデータを出力する。例えば、ＩＦ部３４は、電話通信などの音声通信に関する処理を実行する。ＩＦ部３４は、図示しないマイク、スピーカを接続しており、マイクから音声を入力し、入力した音声を符号化し、符号化した信号をデータとして処理部３２へ出力する。また、ＩＦ部３４は、処理部３２からデータを入力し、復号することによって音声を再生する。また、再生された音声は、スピーカから出力される。ＩＦ部３４における符号化および復号には、公知の技術が使用されればよいので、ここでは、説明を省略する。
【００３７】
また、ＩＦ部３４は、電子メール、インターネット接続などのデータ通信に関する処理を実行する。ＩＦ部３４は、図示しない操作部、表示部を接続しており、操作部からユーザの指示やデータ（以下、「データ等」という）を入力し、入力したデータ等を符号化し、符号化したデータ等を前述のデータとして処理部３２へ出力する。また、ＩＦ部３４は、処理部３２から、前述のデータを入力し、復号することによってデータ等を再生する。また、再生されたデータは、表示部に表示される。制御部４０は、端末装置２０全体の動作を制御する。
【００３８】
決定部３８は、処理部３２、第２通信部３０ｂを介して、第２基地局装置１６ｂに対して、ＷｉＭＡＸとＣＤＭＡとに同時に接続したときの通信帯域の分配の割合の通知を要求する。ここで、決定部３８は、処理部３２あるいは第２通信部３０ｂを介して、ＷｉＭＡＸでの通信品質あるいは通信帯域を取得する。また、決定部３８は、通信品質がしきい値よりも悪化した場合や、通信帯域が所望の通信帯域よりも小さくなった場合に、要求を送信する。これとは別に、決定部３８は、処理部３２あるいは第１通信部３０ａを介して、ＣＤＭＡの報知信号を受信した旨を受けつけた場合に、要求を送信してもよい。なお、要求の宛先は、ＩＭＳ１２である。
【００３９】
決定部３８は、処理部３２、第２通信部３０ｂを介して第２基地局装置１６ｂから、要求の応答として、ＷｉＭＡＸとＣＤＭＡとに同時に接続したときの通信帯域の分配の割合を受けつける。なお、分配の割合は、ＩＭＳ１２において導出されているが、詳細は後述する。決定部３８は、受けつけた分配の割合をもとに、第１基地局装置１６ａへ要求すべき通信帯域を決定する。例えば、分配の割合が「ＷｉＭＡＸ：ＣＤＭＡ＝１：１」であった場合、第１基地局装置１６ａへ要求すべき通信帯域として、第２基地局装置１６ｂとの間の通信帯域を使用する。また、分配の割合が「ＷｉＭＡＸ：ＣＤＭＡ＝１：２」であった場合、第１基地局装置１６ａへ要求すべき通信帯域として、第２基地局装置１６ｂとの間の通信帯域を２倍する。決定部３８は、処理部３２、第１通信部３０ａを介して、第１基地局装置１６ａへ、決定した通信帯域を要求しながら接続も要求する。その結果、第１通信部３０ａは、第１基地局装置１６ａとの通信を開始する。また、第２通信部３０ｂは、第２基地局装置１６ｂとの通信を継続する。つまり、分割処理が実現される。
【００４０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
図５は、基地局装置１６の構成を示す。基地局装置１６は、基地局用アンテナ１８、通信部５０、インターフェイス部５２、制御部５４を含む。ここでは、第１基地局装置１６ａと第２基地局装置１６ｂとを総称する形で基地局装置１６の構成を説明する。第１基地局装置１６ａはＣＤＭＡに対応し、第２基地局装置１６ｂはＷｉＭＡＸに対応しているので、両者の無線通信方式は異なっている。そのため、第１基地局装置１６ａと第２基地局装置１６ｂとは、異なった構成となっているが、異なった部分は公知の技術であるので、ここでは異なった部分の説明を省略する。
【００４２】
通信部５０は、基地局用アンテナ１８を使用しながら、図示しない端末装置２０との通信を実行する。第１基地局装置１６ａの通信部５０は、図４の第１通信部３０ａに対応するように動作し、第２基地局装置１６ｂの通信部５０は、図４の第２通信部３０ｂに対応するように動作する。通信部５０は、インターフェイス部５２へデータを出力し、インターフェイス部５２からデータを入力する。インターフェイス部５２は、図示しないＩＰネットワーク１０と接続されており、例えば、ＩＭＳ１２との間でデータを送受信する。インターフェイス部５２は、通信部５０から受けつけたデータをＩＰパケットに格納し、ＩＰパケットをＩＭＳ１２へ出力する。また、インターフェイス部５２は、ＩＭＳ１２からＩＰパケットを受けつけ、必要な部分をデータとして通信部５０へ出力する。制御部５４は、基地局装置１６全体の動作を制御する。
【００４３】
図６は、ＩＭＳ１２の構成を示す。ＩＭＳ１２は、インターフェイス部６０、測定部６２、決定部６４、分割部６６、記憶部６８、制御部７０を含む。インターフェイス部６０は、ＩＰネットワーク１０と接続されており、ＩＰパケットを送受信するための機能を有する。また、インターフェイス部６０は、ＩＰネットワーク１０に接続された図示しない通信装置からＩＰパケットを受けつけると、当該ＩＰパケットを基地局装置１６へ出力する。また、インターフェイス部６０は、ＩＰパケットを基地局装置１６から受けつけると、当該ＩＰパケットを前述の通信装置へ出力する。インターフェイス部６０は、第２基地局装置１６ｂを介した端末装置２０からの要求であって、かつ端末装置２０がＣＤＭＡとＷｉＭＡＸとに同時に接続したときの通信帯域の分配の割合を通知する旨の要求を受けつける。インターフェイス部６０は、受けつけた要求を測定部６２に出力する。
【００４４】
測定部６２は、ＷｉＭＡＸに接続した端末装置２０がＣＤＭＡにも接続したときの通信帯域を推定する。測定部６２は、ＩＰネットワーク１０と第１基地局装置１６ａとの間のスループットを測定し、測定結果をもとに通信帯域を導出する。スループットの測定には、公知の技術が使用されればよいので、ここでは説明を省略する。また、測定部６２は、測定したスループットの値に予め定められた定数を乗算することによって、通信帯域を導出する。なお、測定部６２は、端末装置２０がＣＤＭＡを使用したときの通信帯域を導出するが、端末装置２０は第１基地局装置１６ａと接続していないので、実際にＣＤＭＡが使用されている場合の通信帯域は導出されない。つまり、端末装置２０がＣＤＭＡを使用したときの通信帯域は、ＩＰネットワーク１０におけるスループットにて代用される。また、測定部６２は、推定結果を決定部６４に出力する。
【００４５】
決定部６４は、測定部６２において推定した通信帯域をもとに、インターフェイス部６０において受けつけた要求への応答として、端末装置２０がＷｉＭＡＸとＣＤＭＡとに同時に接続したときの通信帯域の分配の割合を決定する。決定部６４は、インターフェイス部６０から、第２基地局装置１６ｂを介した端末装置２０との通信帯域を取得する。また、決定部６４は、取得した通信帯域と、測定部６２において推定した通信帯域との比を導出することによって、分配の割合を決定する。決定部６４は、決定した分配の割合をインターフェイス部６０へ出力する。インターフェイス部６０は、第２基地局装置１６ｂを介して、決定部６４において決定した分配の割合を端末装置２０へ通知する。分割部６６は、分割処理を実行する際のデータの分割および結合を実行する。記憶部６８は、分割部６６において分割処理を実行する際の分配の割合を記憶する。
【００４６】
以上の構成による通信システム１００の動作を説明する。図７は、通信システム１００における同時接続手順を示すシーケンス図である。端末装置２０と第２基地局装置１６ｂとは通信中であり（Ｓ１０）、第２基地局装置１６ｂとＩＭＳ１２とも通信中である（Ｓ１２）。端末装置２０は、第２基地局装置１６ｂを介して、ＩＭＳ１２へ割合の通知を要求する（Ｓ１４、Ｓ１６）。ＩＭＳ１２は、ＣＤＭＡでの通信帯域を測定し（Ｓ１８）、通信帯域の分配の割合を決定する（Ｓ２０）。ＩＭＳ１２は、第２基地局装置１６ｂを介して、端末装置２０へ割合を通知する（Ｓ２２、Ｓ２４）。端末装置２０は、第１基地局装置１６ａへ接続要求を送信する（Ｓ２６）。その結果、端末装置２０と第１基地局装置１６ａとが通信中になり（Ｓ２８）、第１基地局装置１６ａとＩＭＳ１２とも通信中になる（Ｓ３０）。なお、端末装置２０と第２基地局装置１６ｂとの通信は継続し（Ｓ３２）、第２基地局装置１６ｂとＩＭＳ１２との通信も継続する（Ｓ３４）。
【００４７】
以下では、端末装置２０のＩＦ部３４、制御部４０をさらに説明する。前述のごとく、ＩＦ部３４は、ユーザとのインターフェイスになっている。ユーザの利便性を考慮すると、ＩＦ部３４、制御部４０には、ユーザにとって簡易な操作を提供することが望まれる。ここでは、選択処理から分割処理への切替に対して、ユーザにとって簡易な操作を提供するためのＩＦ部３４、制御部４０を説明する。制御部４０は、処理部３２において処理されているアプリケーションにとって必要とされる通信帯域を取得する。アプリケーションにとって必要とされる通信帯域は、アプリケーションごとに予め定められていてもよいし、図示しない送信用のバッファに格納されているデータのサイズに応じて定められてもよい。また、制御部４０は、決定部３８と同様に、第２通信部３０ｂにおける現在の通信帯域を取得する。
【００４８】
さらに、制御部４０は、必要とされる通信帯域と、現在の通信帯域とを比較する。後者の方が大きい場合、制御部４０は、選択処理から分割処理への切替が不要であると判定する。一方、後者の方が大きくない場合、制御部４０は、現在の通信帯域としきい値とを比較する。現在の通信帯域がしきい値よりも大きければ、制御部４０は、同時接続の実行、つまり選択処理から分割処理への切替を決定する。制御部４０は、決定の結果を決定部３８に出力する。決定部３８は、前述の処理を実行する。現在の通信帯域がしきい値よりも大きくなければ、制御部４０は、システム間ハンドオーバの実行、つまり第２基地局装置１６ｂから第１基地局装置１６ａへの切替を決定する。制御部４０は、決定の結果を決定部３８に出力し、決定部３８は、前述の処理を実行した後に、第２基地局装置１６ｂとの接続を切断する。ＩＦ部３４における図示しないディスプレイは、このような処理の実行をユーザに通知するための画面を表示する。
【００４９】
図８は、ＩＦ部３４に表示される設定画面を示す。画面の上段に、「必要とするデータレート」と「現在のデータレート」とが表示されており、これらは、必要とする通信帯域と現在の通信帯域に相当する。また、これらの値が横方向に伸びる棒グラフとして示されているが、データレートが高くなるほど、棒グラフは長くなる。また、前述の比較の結果、切替が発生するが、当該切替を自動にて行うか手動にて行うかは、画面の下段に示されたようにユーザによって選択される。
【００５０】
図９は、端末装置２０における選択手順を示すフローチャートである。制御部４０は、必要とする通信帯域を取得する（Ｓ５０）。また、制御部４０は、現在の通信帯域を取得する（Ｓ５２）。必要とする通信帯域が現在の通信帯域よりも大きく（Ｓ５４のＹ）、現在の通信帯域がしきい値よりも大きければ（Ｓ５６のＹ）、制御部４０は、同時接続を選択する（Ｓ５８）。現在の通信帯域がしきい値よりも大きくなければ（Ｓ５６のＮ）、制御部４０は、システム間ハンドオーバを選択する（Ｓ６０）。一方、必要とする通信帯域が現在の通信帯域よりも大きくなければ（Ｓ５４のＮ）、制御部４０は、処理を終了する。
【００５１】
図１０（ａ）−（ｂ）は、ＩＦ部３４に表示される別の設定画面を示す。図１０（ａ）に示された画面の上段には、図８と同様に、「必要とするデータレート」および「現在のデータレート」が示されている。また、下段には、「同時接続」を選択するためのボタンと、「システム間ＨＯ」を選択するためのスイッチとが示されている。制御部４０において、同時接続が選択された場合、図示のごとく、同時接続のボタンに「推奨」の文字が表示される。ユーザがＩＦ部３４を介して同時接続のボタンを選択すると、制御部４０は、同時接続を実行するように、決定部３８に指示する。図１６（ｂ）も図１６（ａ）と同様の画面を示しているが、図１６（ｂ）では、制御部４０において、システム間ハンドオーバが選択されている。
【００５２】
以下に変形例を説明する。これまでの実施例においては、通信帯域の分配の割合は、端末装置２０を起点として送信されている。つまり、選択処理から分割処理への切替が、端末装置２０によって起動されている。一方、変形例では、第２基地局装置１６ｂ、つまり端末装置２０の選択処理において使用されている基地局装置１６が、選択処理から分割処理への切替を起動する。そのため、通信帯域の分配の割合は、第２基地局装置１６ｂを起点として送信されている。例えば、第２基地局装置１６ｂが、端末装置２０と通信しているときに、当該端末装置２０に割り当てている通信帯域が減少していることを検出した場合に、切替を起動する。つまり、第２基地局装置１６ｂは、通信帯域の減少を補うために、第１基地局装置１６ａとも接続することを提案する。
【００５３】
端末装置２０の構成は、これまでの説明と同様である。なお、変形例において、端末装置２０は、分配の割合の通知を要求しない。また、基地局装置１６の構成は、図５と同様のタイプである。ここでは、特に、第２基地局装置１６ｂ、つまり初期状態において端末装置２０と接続している基地局装置１６の構成を説明する。制御部５４は、通信部５０を介して通信している端末装置２０の通信帯域を観測する。通信帯域がしきい値よりも小さくなれば、制御部５４は、インターフェイス部５２を介して、端末装置２０がＷｉＭＡＸとＣＤＭＡとに同時に接続したときの通信帯域の分配の割合の通知をＩＭＳ１２へ要求する。また、制御部５４は、インターフェイス部５２を介して、要求の応答として、ＩＭＳ１２から分配の割合を受けつける。また、制御部５４は、通信部５０を介して、受けつけた分配の割合を端末装置２０へ通知する。
【００５４】
ＩＭＳ１２の構成は、図６と同様のタイプである。インターフェイス部６０は、第２基地局装置１６ｂからの要求であって、かつ端末装置２０がＷｉＭＡＸとＣＤＭＡとに同時に接続したときの通信帯域の分配の割合を通知する旨の要求を受けつける。また、測定部６２、決定部６４は、図６と同様の処理を実行するので、ここでは説明を省略する。つまり、決定部６４は、要求への応答として、分配の割合を決定する。また、インターフェイス部６０は、分配の割合を第２基地局装置１６ｂへ送信する。
【００５５】
図１１は、本発明の変形例に係る通信システム１００における同時接続手順を示すシーケンス図である。端末装置２０と第２基地局装置１６ｂとは通信中であり（Ｓ１００）、第２基地局装置１６ｂとＩＭＳ１２とも通信中である（Ｓ１０２）。第２基地局装置１６ｂは、ＩＭＳ１２へ割合の通知を要求する（Ｓ１０４）。ＩＭＳ１２は、ＣＤＭＡでの通信帯域を測定し（Ｓ１０６）、通信帯域の分配の割合を決定する（Ｓ１０８）。ＩＭＳ１２は、第２基地局装置１６ｂを介して、端末装置２０へ割合を通知する（Ｓ１１０、Ｓ１１２）。端末装置２０は、第１基地局装置１６ａへ接続要求を送信する（Ｓ１１４）。その結果、端末装置２０と第１基地局装置１６ａとが通信中になり（Ｓ１１６）、第１基地局装置１６ａとＩＭＳ１２とも通信中になる（Ｓ１１８）。なお、端末装置２０と第２基地局装置１６ｂとの通信は継続し（Ｓ１２０）、第２基地局装置１６ｂとＩＭＳ１２との通信も継続する（Ｓ１２２）。
【００５６】
以下に別の変形例を説明する。これまで、通信帯域の分配の割合が、第２基地局装置１６ｂから端末装置２０へ送信されている。しかしながら、別の変形例では、通信帯域の分配の割合が、第１基地局装置１６ａから端末装置２０へ送信される。つまり、端末装置２０は、通信帯域の分配の割合を知らない状態で、第１基地局装置１６ａと接続し、第１基地局装置１６ａから通信帯域の分配の割合を受けつける。この場合、ＷｉＭＡＸだけではなく、ＣＤＭＡも実行されているので、ＩＭＳ１２における分配の割合の決定精度が向上する。
【００５７】
端末装置２０の構成は、図４と同様のタイプである。第２通信部３０ｂは、図示しない第２基地局装置１６ｂとの通信を継続する。さらにその状態において、第１通信部３０ａは、第１基地局装置１６ａへ接続を要求する。例えば、第１基地局装置１６ａからの報知信号を受信したときに、第１通信部３０ａは、接続の要求を開始する。その後、決定部３８は、第１通信部３０ａを介して、第１基地局装置１６ａから、ＷｉＭＡＸとＣＤＭＡとに同時に接続したときの通信帯域の分配の割合を受けつける。決定部３８は、受けつけた分配の割合をもとに、第１基地局装置１６ａとの通信にて使用すべき通信帯域を決定する。なお、決定の手順は、前述のとおりであるので、ここでは説明を省略する。第１通信部３０ａは、決定部３８において決定した通信帯域を使用しながら、第１基地局装置１６ａとの通信を実行する。
【００５８】
ＩＭＳ１２の構成は、図６と同様のタイプである。インターフェイス部６０は、第１基地局装置１６ａからの要求であって、かつ端末装置２０がＷｉＭＡＸとＣＤＭＡとに同時に接続したときの通信帯域の分配の割合を通知する旨の要求を受けつける。また、測定部６２は、第１基地局装置１６ａと端末装置２０との間の無線回線の影響を反映させながら、ＣＤＭＡを使用した場合の通信帯域を導出する。また、決定部６４は、要求への応答として、分配の割合を決定する。また、インターフェイス部６０は、分配の割合を第１基地局装置１６ａへ送信する。
【００５９】
図１２は、本発明の別の変形例に係る通信システム１００における同時接続手順を示すシーケンス図である。端末装置２０と第２基地局装置１６ｂとは通信中である（Ｓ１５０）。端末装置２０は、第１基地局装置１６ａへ接続要求を送信し（Ｓ１５２）、第１基地局装置１６ａは、ＩＭＳ１２へ割合の通知を要求する（Ｓ１５４）。ＩＭＳ１２は、ＣＤＭＡでの通信帯域を測定し（Ｓ１５６）、通信帯域の分配の割合を決定する（Ｓ１５８）。ＩＭＳ１２は、第１基地局装置１６ａを介して、端末装置２０へ割合を通知する（Ｓ１６０、Ｓ１６２）。その結果、端末装置２０と第１基地局装置１６ａとが通信中になり（Ｓ１６４）、第１基地局装置１６ａとＩＭＳ１２とも通信中になる（Ｓ１６６）。なお、端末装置２０と第２基地局装置１６ｂとの通信は継続し（Ｓ１６８）、第２基地局装置１６ｂとＩＭＳ１２との通信も継続する（Ｓ１７０）。
【００６０】
本発明の実施例によれば、ひとつの無線通信システムだけを使用しているときに、残りを含めた形で通信帯域の分配の割合を決定するので、残りを接続する際に適した通信帯域を要求できる。また、残りを接続する際に適した通信帯域が要求されるので、複数の無線通信システムを効率的に使用できる。また、端末装置がひとつの無線通信システムを使用しているときに、残りを含めた通信帯域の分配の割合を要求するので、分割処理にスムーズに移行できる。また、基地局装置が自発的に通信帯域の分配の割合を要求するので、分割処理へのスムーズな移行を端末装置へ提案できる。また、ふたつの無線通信システムを接続してから通信帯域の分配の割合を決定するので、通信帯域の分配の割合を正確に決定できる。
【００６１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６２】
本発明の実施例において、端末装置２０は、ひとつの端末用アンテナ２２を備えながら、送信処理および受信処理を実行している。しかしながらこれに限らず、端末装置２０は、複数の端末用アンテナ２２を備えながら、通信部３０は、複数のベースバンドの信号に対してアダプティブアレイ信号処理やダイバーシチ処理を実行してもよい。ここで、複数のベースバンドの信号は、複数の端末用アンテナ２２において受信された無線周波数の信号のそれぞれに対応する。また、アダプティブアレイ信号処理は、複数のベースバンドの信号のそれぞれに対して受信ウエイトベクトルを導出し、導出した受信ウエイトベクトルにて複数のベースバンドの信号を重みづけた後に、それらを加算する。また、アダプティブアレイ信号処理は、これら以外であっても、公知の技術によって実現されればよい。一方、ダイバーシチ処理として、選択ダイバーシチ、同相合成ダイバーシチ、最大比合成ダイバーシチ等がなされればよい。
【００６３】
通信部３０は、送信処理においても受信処理の際と同様に、入力した信号に対して、アダプティブアレイ信号処理やダイバーシチ処理を実行してもよい。アダプティブアレイ信号処理は、受信ウエイトベクトルをもとに送信ウエイトベクトルを導出し、導出した送信ウエイトベクトルによって、変調した信号を重みづけした後に、それらをベースバンドの信号として出力する。また、ダイバーシチ処理は、複数の端末用アンテナ２２のうちのいずれかから無線周波数の信号が送信されるように、変調した信号のうちのいずれかを選択する。なお、以上の変形例は、基地局装置１６についても同様である。本変形例によれば、通信品質を向上できる。
【００６４】
さらに、端末装置２０および通信部３０は、分割処理の延長として、ＭＩＭＯ処理を実行してもよい。ＭＩＭＯ処理は、公知の技術によって実現されればよいので、ここでは、説明を省略する。決定部３８は、第１通信部３０ａでの通信品質と第２通信部３０ｂでの通信品質とが、分割処理を決定する場合よりも良好である場合に、ＭＩＭＯ処理の実行を決定する。本変形例によれば、分割処理を実行する場合よりも、通信速度を向上できる。また、分割処理を実行し、第１通信部３０ａと第２通信部３０ｂのそれぞれでＭＩＭＯ処理を実行すると、さらに通信速度を向上できる。
【００６５】
本発明の実施例において、通信システム１００は、ふたつの無線通信システムに対応している。しかしながらこれに限らず例えば、通信システム１００は、３つ以上の無線通信システムに対応していてもよい。３つ目の無線通信システムとして、例えば、ＩＥＥＥ８０２．１１に準拠した無線ＬＡＮ（Ｌｏｃａｌ  Ａｒｅａ  Ｎｅｔｗｏｒｋ）システムが使用される。本変形例によれば、多くの無線通信システムを使用することによって、通信速度をさらに向上でき、通信品質の悪化を抑制しやすくできる。
【００６６】
本発明の実施例において、端末装置２０は、ＷｉＭＡＸを使用している状態を初期状態として、分割処理へ移行している。しかしながらこれに限らず例えば、端末装置２０は、ＣＤＭＡを使用している状態を初期状態として、分割処理へ移行してもよい。また、分割処理の代わりに、システム間ハンドオーバが実行されてもよい。本変形例によれば、様々な態様に本発明を適用できる。
【図面の簡単な説明】
【００６７】
【図１】本発明の実施例に係る通信システムの構成を示す図である。
【図２】図１の通信システムにおける分割処理の手順を示すシーケンス図である。
【図３】図１の通信システムにおける選択処理の手順を示すシーケンス図である。
【図４】図１の端末装置の構成を示す図である。
【図５】図１の基地局装置の構成を示す図である。
【図６】図１のＩＭＳの構成を示す図である。
【図７】図１の通信システムにおける同時接続手順を示すシーケンス図である。
【図８】図４のＩＦ部に表示される設定画面を示す図である。
【図９】図４の端末装置における選択手順を示すフローチャートである。
【図１０】図１０（ａ）−（ｂ）は、図４のＩＦ部に表示される別の設定画面を示す図である。
【図１１】本発明の変形例に係る通信システムにおける同時接続手順を示すシーケンス図である。
【図１２】本発明の別の変形例に係る通信システムにおける同時接続手順を示すシーケンス図である。
【符号の説明】
【００６８】
１０  ＩＰネットワーク、  １２  ＩＭＳ、  １４  ＧＷ、  １６  基地局装置、  １８  基地局用アンテナ、  ２０  端末装置、  ２２  端末用アンテナ、  ３０  通信部、  ３２  処理部、  ３４  ＩＦ部、  ３８  決定部、  ４０  制御部、  ５０  通信部、  ５２  インターフェイス部、  ５４  制御部、  ６０  インターフェイス部、  ６２  測定部、  ６４  決定部、  ６６  分割部、  ６８  記憶部、  ７０  制御部、  １００  通信システム。
【図１】
0005188784.tif 000002
【図２】
0005188784.tif 000003
【図３】
0005188784.tif 000004
【図４】
0005188784.tif 000005
【図５】
0005188784.tif 000006
【図６】
0005188784.tif 000007
【図７】
0005188784.tif 000008
【図８】
0005188784.tif 000009
【図９】
0005188784.tif 000010
【図１０】
0005188784.tif 000011
【図１１】
0005188784.tif 000012
【図１２】
0005188784.tif 000013